(57)【要約】【課題】処置室内外において、内装装備、医療装備等を適切に配備して、救命隊員等が救命活動をより効率的に行なうことができる救急車を提供する。【解決手段】処置室８内のスライドドア４側の出入口４ａ近傍に洗浄装置９を配置し、スライドドア５側の開放部５ａに救助用資器材収納部１２及び酸素ボンベ収納部１３を形成し、処置室８内のスライドドア５側の側壁面の後端上部に換気扇１９を配置する。処置室内８のスライドドア５側の側壁面下部に搬送用資器材収納装置２０を配置し、処置室８内のスライドドア５側の側壁面中間部にスライドレール２６及び資器材支持板２７を、資器材収納装置の上面にスライドレール２８及び資器材載置板２９を配設して成る救急資器材設置装置２５を配置してもよい。【選択図】図２
2007111142.tif 000002
【特許請求の範囲】
【請求項１】
中間部両側に前後方向に滑動するスライドドアを配設し、後端部に上下方向に回動するバックドアを配設して成る救急車において、処置室内の一方のスライドドア側の出入口近傍に洗浄装置を配置し、他方のスライドドア側の開放部に救助用資器材収納部及び酸素ボンベ収納部を形成し、処置室内の他方のスライドドア側の側壁面の後端上部に換気扇を配置したことを特徴とする救急車。
【請求項２】
さらに、処置室内の前記他方のスライドドア側の側壁面下部に、回動自在かつ係止自在とした正面扉部と周囲の各壁面部とにより収納空間を画成し、後端部を開放部とすると共に前記バックドアに近接させた、搬送用資器材を収納する搬送用資器材収納装置を配置したことを特徴とする請求項１に記載の救急車。
【請求項３】
さらに、処置室内の前記他方のスライドドア側の側壁面中間部にスライドレール及びこれに係合自在かつ摺動自在とした資器材支持部材を配設し、資器材収納装置の上面にスライドレール及びこれに係合自在かつ摺動自在とした資器材載置部材を配設して成る救急資器材設置装置を配置したことを特徴とする請求項１又は２に記載の救急車。
【発明の詳細な説明】
【技術分野】
【０００１】
本発明は、処置室内に座席、収納庫、換気扇、洗浄装置等の各種内装装備、保護用資器材、救命用資器材、監視用資器材、搬送用資器材等の各種医療装備等を配備した救急車に関する。
【背景技術】
【０００２】
交通事故、急性疾患等が発生した場合には、救急車が緊急出動して現場に向かい、救命隊員等が負傷者、患者等の救命活動を行なう。現場においては、負傷者、患者等を車載用ストレッチャ、スクープストレッチャ、バックボード等の搬送用資器材に載せて搬送し、救急車のバックドアから処置室内に搬入する。
【０００３】
そして、救急病院等に向かう途中で、処置室内において、包帯、ガーゼ、止血帯、消毒薬、消毒器等の保護用資器材、人工呼吸器、酸素吸入器、吸引器等の救命用資器材、血圧計、心電図モニタ、患者監視装置等の監視用資器材等を使用し、負傷者、患者等を救命するために緊急処置を施す。
【０００４】
救命隊員等がこのような救命活動を効率的に行なうことができるように、従来、救急車の処置室内には、座席、収納庫、換気扇、洗浄装置等の各種内装装備、保護用資器材、救命用資器材、監視用資器材、搬送用資器材等の各種医療装備等を適切に配備している（例えば、特許文献１参照）。
【０００５】
【特許文献１】特開２００１−１０４３３７号公報
【０００６】
例えば、従来の救急車では、救助用資器材、酸素ボンベ等は処置室内の収納庫に収納して配備し、換気扇は救急車のルーフ後端部に配備し、洗浄装置は処置室内の右側壁面下部に配備していた。
【０００７】
又、保護用資器材、救命用資器材、監視用資器材は右側壁面中間部に固定するか、右側壁面下部に配設した収納棚の上面に固定して配備し、搬送用資器材はその収納棚に立て掛けて配備していた。
【発明の開示】
【発明が解決しようとする課題】
【０００８】
従来の救急車では、救助用資器材、酸素ボンベ等を処置室内の収納庫に収納していたから、使用時又は交換時に、救助用資器材、酸素ボンベ等を処置室外に持ち出し、再度、それらを処置室内に持ち込む必要があり、時間がかかると共に、重労働でもあった。
【０００９】
又、換気扇を救急車のルーフ後端部に配備していたから、空気の吸入音によって救急処置をしている負傷者、患者に悪影響を及ぼす虞があり、又、吸入される空気が付添人の頭部付近を流れ、不快感を与える虞があった。
【００１０】
さらに、洗浄装置を処置室内の右側壁面下部に配備していたから、救命隊員、付添人等が手を洗浄する際に、右側壁面まで移動する必要があるが、右側壁面近傍には補助座席、防振ベッド等が配備されているので、移動は極めて面倒であった。
【００１１】
又、保護用資器材、救命用資器材、監視用資器材を右側壁面中間部、又は、右側壁面下部に配設した収納棚の上面に固定していたから、救急処置時に、救命隊員が身体又はその一部を移動して使用、監視する場合もおこり、甚だ不便であった。
【００１２】
さらに、搬送用資器材を右側壁面下部に配置した収納棚に立て掛けていたから、救命隊員は、処置室内で搬送用資器材の固定部材を解除した後、バックドアから取り出さねばならず、又、右側壁面下部に収納する際も面倒であった。
【００１３】
本発明は、かかる従来の問題点に鑑みて為されたものであって、その目的とするところは、救急車の処置室内及び室外において、各種内装装備、各種医療装備等をより適切に配備して、救命隊員等が救命活動をより効率的に行なうことができる救急車を提供することにある。
【課題を解決するための手段】
【００１４】
上記目的を達成するために、本発明の救急車は、処置室内の一方のスライドドア側の出入口近傍に洗浄装置を配置し、他方のスライドドア側の開放部に救助用資器材収納部及び酸素ボンベ収納部を形成し、処置室内の他方のスライドドア側の側壁面の後端上部に換気扇を配置したことを特徴とする。
【００１５】
前記救急車は、さらに、処置室内の前記他方のスライドドア側の側壁面下部に、回動自在かつ係止自在とした正面扉部と周囲の各壁面部とにより収納空間を画成し、後端部を開放部とすると共に前記バックドアに近接させた、搬送用資器材を収納する搬送用資器材収納装置を配置してもよい。
【００１６】
又、前記救急車は、さらに、処置室内の前記他方のスライドドア側の側壁面中間部にスライドレール及びこれに係合自在かつ摺動自在とした資器材支持部材を配設し、資器材収納装置の上面にスライドレール及びこれに係合自在かつ摺動自在とした資器材載置部材を配設して成る救急資器材設置装置を配置してもよい。
【発明を実施するための最良の形態】
【００１７】
以下、本発明の救急車の好適な実施形態について、その構成及び作用、効果を併せて、図面を参照して説明する。
【００１８】
本発明の救急車１は、図１に示すように、前側部両側に前後方向に回動するフロントドア２，３、中間部両側に前後方向に滑動するスライドドア４，５、後端部に上下方向に回動するバックドア６を配設してある。
【００１９】
救急車１は、図２乃至５に示すように、車内の前側部に運転室７、後側部に処置室８を画成してあり、処置室８内の左側においては、スライドドア４側の出入口４ａ近傍に洗浄装置９を配置し、出入口４ａの後方に前向座席１０及び横向座席１１を配置してある。
【００２０】
ここで、洗浄装置９をスライドドア４側の出入口４ａ近傍に配置したから、救命隊員、付添人等は、出入口４ａから処置室８に入る際に直ちに手を洗浄することができ、一々右側壁面まで移動する必要はなく、極めて便利である。
【００２１】
又、図３に示すように、スライドドア５側の開放部５ａに救助用資器材収納部１２及び酸素ボンベ収納部１３を形成し、救助用資器材収納部１２に救助用資器材１４を、酸素ボンベ収納部１３に酸素ボンベ１５を収納してある。
【００２２】
ここで、救助用資器材収納部１２は、後記縦型収納庫１６の外側壁面に凹部を形成したものであるから、後記縦型収納庫１６の外側壁面によって処置室８とは仕切られていることになる。
【００２３】
又、酸素ボンベ収納部１３は、隔壁１３ａによって処置室８と仕切られているが、隔壁１３ａには窓部１３ｂを形成してあるから、窓部１３ｂを介して処置室８内から酸素ボンベ１５のバルブ等は操作できるようになっている。
【００２４】
上記のように、救助用資器材１４及び酸素ボンベ１５をスライドドア５側の開放部５ａに収納したから、救命隊員等は処置室８外に出て、スライドドア５を滑動させて開放すれば、救助用資器材１４又は酸素ボンベ１５を使用又は交換することができ、処置室８外に持ち出し、持ち込む必要はないから、作業を迅速に行なうことができると共に、労力も大幅に軽減される。
【００２５】
さらに、図２乃至５に示すように、処置室８内の右側においては、前側部に縦型収納庫１６を配備し、この後方に補助座席１７及び防振ベッド１８を配備してある。又、右側壁面の後端上部に換気扇１９を配置してある。
【００２６】
ここで、換気扇１９を右側壁面の後端上部に配置したから、吸入される空気の影響は殆どなくなり、空気の吸入音によって救急処置をしている負傷者、患者に悪影響を及ぼす虞れはなく、又、吸入される空気が付添人の頭部付近を流れ、不快感を与える虞もない。
【００２７】
処置室８内の右側壁面には、図２乃至５に示すように、各種救急資器材、その収納装置等を配備してあり、右側壁面下部には搬送用資器材収納装置２０を配置してある。
【００２８】
搬送用資器材収納装置２０は、図２に示すように、回動自在かつ係止自在とした正面扉部２１と周囲の各壁面部とによって収納空間２２を画成し、後端は開放端部２３とすると共に、バックドア６に近接させてある。
【００２９】
よって、搬送用資器材収納装置２０によれば、正面扉部２１を前方に回動して傾斜状態に保持し、収納空間２２を開放することによって、スクープストレッチャ、バックボード等の搬送用資器材２４を斜め上方に持ち上げ、取り出すことができると共に、開放端部２３から後方に引き出すことによって、直ちにバックドア６から処置室８外に取り出すことができる。
【００３０】
尚、前記収納空間２２を仕切る、回動自在とした仕切壁部を配設し、この仕切壁部を前記正面扉部２１と協働するように構成して、複数の搬送用資器材２４を収納することができ、又、同時に取り出すことができるようにしてもよい。
【００３１】
又、右側壁面中間部及び前記搬送用資器材収納装置２０の上面には、図２乃至５に示すように、救急資器材設置装置２５を配置してある。
【００３２】
救急資器材設置装置２５は、図２に示すように、右側壁面中間部にスライドレール２６及び資器材支持板２７を配設し、前記搬送用資器材収納装置２０の上面にスライドレール２８及び資器材載置板２９を配設してある。
【００３３】
よって、救急資器材設置装置２５によれば、救急バック等の保護用資器材、人工呼吸器等の救命用資器材、心電図モニタ等の監視用資器材３０を資器材支持板２７又は資器材載置板２９に固定し、スライドレール２６又は２８に係合させることによって、救急資器材を摺動させて所望位置に固定することができると共に、救急資器材を新規に設置する時、交換する時においても、作業は極めて容易である。
【００３４】
尚、前記資器材支持板２７、前記資器材載置板２９に代えて、複数のブラケットから成る資器材支持部材、資器材載置部材を構成し、これらに資器材を支持又は載置するようにしてもよい。
【図面の簡単な説明】
【００３５】
【図１】本発明の救急車の外観斜視図である。
【図２】本発明の救急車の左方から視た内部透視図である。
【図３】本発明の救急車の右方から視た内部透視図である。
【図４】本発明の救急車の概略内部構造を示す平面透視図である。
【図５】本発明の救急車の概略内部構造を示す側面透視図である。
【符号の説明】
【００３６】
１  救急車
４  スライドドア
４ａ  出入口
５  スライドドア
５ａ  開放部
６  バックドア
８  処置室
９  洗浄装置
１２  救助用資器材収納部
１３  酸素ボンベ収納部
１９  換気扇
２０  搬送用資器材収納装置
２１  正面扉部
２２  収納空間
２３  開放端部
２４  搬送用資器材
２５  救急資器材設置装置
２６  スライドレール
２７  資器材支持板
２８  スライドレール
２９  資器材載置板
３０  監視用資器材
【図１】
2007111142.tif 000003
【図２】
2007111142.tif 000004
【図３】
2007111142.tif 000005
【図４】
2007111142.tif 000006
【図５】
2007111142.tif 000007